(57)【要約】【課題】  魚釣り用のトップウォータールアーにおいて、釣り糸がよれることなく回転体が水流や振動・音を発生し、魚が喰い付きやすくて、釣りの初心者からベテランまで容易に使いこなすことができるルアーを提供する。【解決手段】  前傾した左右一対のウィングと底部に錘を具備したヘッドと、底部に錘を具備したボディと、ヘッド及びボディの少なくも一方を貫通するシャフトを有することで、ヘッドが半回転ごとに回転方向を自動的に変える運動をする。【選択図】  図１
2007312640.tif 000002
【特許請求の範囲】
【請求項１】
魚釣り用のトップウォータールアーにおいて、前傾した左右一対のウィングと底部に錘を具備したヘッドと、底部に錘を具備したボディと、ヘッド及びボディの少なくも一方を貫通するシャフトを有することを特徴とするルアー。
【発明の詳細な説明】
【技術分野】
【０００１】
本発明は、魚釣りに使用するルアーであり、その中でも特にトップウォータールアーの構造に関するものである。
【背景技術】
【０００２】
一般に魚釣りにおいて使用されるルアーは、合成樹脂・木材・金属等から構成されており、魚の興味をそそる動きや外見等を工夫したものが提供されている。
【０００３】
特に水面に浮かんだままで、基本的には沈まずに使用するものは「トップウォータールアー」と呼ばれており、「ペンシル」「ノイジー」「スゥイッシャー」等の種類がよく知られている。
【０００４】
ペンシルは特許文献１に代表されるように、外見的には棒状であり、釣竿を操作する事によって左右に首を振るような動きをしたり、一瞬だけおじぎをするように水中へ頭部を突っ込んだりという動きをする。このペンシルは、現在のトップウォータールアーのなかでは最もシンプルで、基本的な構造である。
【０００５】
ノイジーは特許文献２に代表されるように、ルアーの前方または側面に、金属や樹脂等で作られた翼状のパーツが取り付けられている。これに水の抵抗を受ける事によって、ルアー本体が左右に体を捻る動きをする。また、ノイジーはその動きの特徴から、特に昆虫をイメージして製作されたものが多い。
【０００６】
スゥイッシャーは特許文献３及び特許文献４に代表されるように、ルアーに金属や樹脂等のプロペラ等の回転体が取り付けられており、釣竿を操作するとその回転体が一方向に回って水流や振動・音を発生し、魚を誘い出す。このプロペラや回転体はその数量、取り付け位置、大きさ等を工夫する事で発生する水流や振動・音に特徴付けをしたものが市販されている。
【０００７】
またスゥイッシャーと同様に回転体を持ち、その構造上、水面で使用することが前提となっているため、トップウォータールアーの一種として扱われるものに、バズベイトがある。これは特許文献５に代表されるように、一般に「ペラ」と呼ばれる巨大な三角形の回転体を備えており、通常のプロペラ等の回転体より大きな水流や振動・音を発生させる。
【特許文献１】特開２００１−００００７９
【特許文献２】特開２００５−２４５２４５
【特許文献３】特開２００５−２６１３３５
【特許文献４】特開平１−１１２９３８
【特許文献５】特開２００３−０６１５１９
【発明の開示】
【発明が解決しようとする課題】
【０００８】
しかしながら、これまでのトップウォータールアー及び回転体を持つルアーには、以下のような問題があった。
【０００９】
ペンシルは、釣り人が釣り竿や釣り糸を様々に操作して動かす必要があるために、扱いが難しく、釣り人の熟練が必要だった。
【００１０】
ノイジーは昆虫の動きを模して製作されたものが多い。しかし翼状のパーツに受ける水流でルアーの体全部が左右に捻るように動くため、昆虫を擬態したものとしては動きが単調過ぎると言える。またその動きのために、魚がルアーをくわえる瞬間にルアー全体が捻られるように回って釣り針が魚の口から遠ざかり、針掛かりし難かった。事実、ノイジーは一般に「魚を誘い出す事は簡単だが、針を掛ける事が難しいルアー」と言われている。
【００１１】
スゥイッシャー等に取り付けられるプロペラは、水流抵抗を素直に後方へと受け流してしまうため、大きな振動を得る事は難しかった。これを解決するために回転方向や素材、大きさが違う複数のプロペラを持つものもあるが、製造コストや手間が増大する上、所詮は同じプロペラなので大差なかった。また上記の通りプロペラが発生する振動は微少で、釣り糸を通して釣り人の手元に伝わるほどではなかった。そのため釣り人はルアーの動きを視覚情報のみで把握することとなり、操作している実感に乏しく、特に初心者は早くに飽き易かった。
【００１２】
バズベイトは浮力が小さいので、水面を泳動させるには常に動かし続けねばならず、魚をルアーに喰い付かせる間を作る事が難しかった。
【００１３】
また回転体を持つルアーは、その回転体が一方向へと回り続けるため、ルアー本体にその回転体と逆方向へ回る力が発生し、釣り糸がよれやすかった。
【００１４】
本発明は、これらルアーの問題点を解決し、釣り糸がよれることなく回転体が水流や振動・音を発生し、魚が喰い付きやすいルアーを提供するものである。
【課題を解決するための手段】
【００１５】
本発明のルアーは、前傾した左右一対のウィングと底部に錘を具備したヘッドと、底部に錘を具備したボディと、ヘッド及びボディの少なくも一方を貫通するシャフトを有することを特徴とする。
【００１６】
本発明のルアーはその構造的な特徴によって、巻き取りスピードにあわせてヘッドが半回転ごとに自動的に回転方向を変えるので、ルアー全体を大きく振動させ、昆虫が水面でもがき騒ぐ動きを呈することができる。なおこれ以降、この本発明のルアーの運動を「半回転往復運動」と称する。
【発明の効果】
【００１７】
本発明のルアーは、釣り糸を巻き取るだけでヘッドが半回転ごとに右回転・左回転と回る方向を自動的にスイッチングする「半回転往復運動」をする。これは魚に対して新鮮かつ絶大なアピールとなり、これまでのスゥイッシャーやノイジーでは得られなかったような釣果をあげる事が出来る。またプロペラ等の回転体を使用したルアーのように、釣り糸を一方向に捻り続けることがなく、よれにくくなり、同時に直進性能も向上する。さらに本発明のルアーが発生する振動は大きく、巻き取り中に適度な振動と抵抗感を釣り人に与える。つまり視覚のみならず手元を通じて触覚でも動きを感じることができるため、釣り人が釣りに集中しやすくなる。
【発明を実施するための最良の形態】
【００１８】
以下、本発明のルアーについて、実施例をもとに図面を参照しつつ詳細に説明する。
【００１９】
本出願人は長年ルアーフィッシングを楽しんできたが、従来のルアーの動きが昆虫の動きを模したものと言われながらも、なかなか良い動きをするルアーにめぐり合えなかったので、独自に試作研究を重ねて、以下の実施例に記載する本発明のルアーを完成した。
【実施例１】
【００２０】
実施例１における本発明のルアーは、図１及び図２に示すように、ボディ２に固定したシャフト４上で、ヘッド１が自由に移動及び回転できる構造である。
【００２１】
ボディ２は発泡性の樹脂で作られた直径約１６ｍｍの球体を円錐状に伸ばし、全長約２０ｍｍの雨粒状の形状にしたが、これは昆虫の腹にあたり、前方にはシャフト４を固定した。このシャフト４は硬質ステンレス製の直径約０．６ｍｍの針金を使用した。シャフト４は強度が充分に保てるのであれば、ピアノ線など他の素材を使用してもよかった。また、水面で安定した姿勢を保つため、底近傍の内部に錘１１を配置した。その位置は、図２に点線で囲って示した。この錘１１の重さは約２．０ｇにした。錘１１は内蔵させずにボディ２から露出させてもよく、実際、本発明のテスト中にはその最適なバランスを効率よく探るために、錘１１を外から張り付けて作業をした。さらに適当な所に、釣り針８を吊るすフックアイ７を取り付けた。なお実施例１はフックアイを１個取り付けたが、ボディ２やシャフト４、または後述するヘッド１の任意の場所に複数配置してもよいことが、テストの結果分かった。
【００２２】
ヘッド１は発泡性の樹脂で直径約１４ｍｍの球形状にしたが、これは昆虫の頭と胸にあたる部分である。中心部には、前方から後方に貫通穴のホール５を開けた。ここに前述のボディ２に固定されたシャフト４を通し、先端に抜け落ち防止と釣り糸９を結ぶための機能を兼ねたラインアイ６を成形した。ヘッド１の回転をスムーズにし、なおかつ大きな振動を得るために、ホール５の直径はシャフト４の直径より適度に大きくした。これに伴いラインアイ６の直径も、ホール５の直径より大きくした。これでヘッド１はボディ２から抜け落ちること無く、シャフト４上を移動並びに回転できた。ここではホール５の直径を約１．８ｍｍ、ラインアイ６の直径を約２．４ｍｍにした。そして水面で安定した姿勢を保つため、底近傍の内部に錘１０を配置した。この錘１０の重さは約１．２ｇにした。錘１０は内蔵させずに、ヘッド１から露出させてもよかった。ヘッド１の左右側面の中央付近には、後述するウィング３ａ、３ｂを取り付けるための溝１２を設けた。
【００２３】
ウィングはヘッド１の右側に取り付けられたウィング３ａと、ヘッド１左側に取り付けられたウィング３ｂがあり、共に約０．５ｍｍ厚のプラスチック樹脂製（ポリエチレンテレフタレートを使用）の薄い板で成形した。その形状は図４に示したが、ウィング表面は長径約３０ｍｍ、短径約１５ｍｍのだ円形を短軸で半等分にしたものに対し、直径約１５ｍｍの円形を半等分したものを繋げた団扇型にした。端部には約４．０ｍｍ四方の正方形の板状の部分があるが、これは前述したヘッド１の左右側面の溝１２に差し込む際の固定代であり、図５に示すように差し込んで固定した。なお、ウィングの取り付け位置はこれにとどまらず、左右一対で取り付けられていれば、ヘッド１の前面や後方など任意の箇所へ配置してもよいことが、テストの結果分かった。
【００２４】
ウィング３ａ及び３ｂの形状は、他の幾何学形状や鳥の羽を模した形状等でもかまわないが、ルアーが運動しやすく、なおかつ投げた時に空気抵抗を小さくして遠くへ飛ばしやすくするには、水流を受ける面の表面積はヘッド１の最大断面積の５０〜２００％程度にするとよいことが、テストの結果分かった。
【００２５】
ウィング３ａ、３ｂの取り付けを説明するために図３を示したが、必要な水の抵抗を受けるために、ルアー進行方向に向かってハの字型に開いた姿勢にした。さらに水の抵抗をより効率的に受けるため、図２及び図３に示すように、ウィング３ａ、３ｂはヘッド１側面から見て同じ方向にそれぞれ前傾させた。その素材もプラスチック樹脂だけでなく金属やゴム等で成形してもよいし、ウィングの左右で形状や厚さを任意に変えても同様の効果が得られることが、テストの結果分かった。
【００２６】
ウィング３ａ、３ｂのヘッド１への取り付け角は、図３に示したルアー進行方向に対する開き角１３と、図２に示した傾斜角１４を考慮しなければならないが、テストの結果、どちらも鋭角である必要があり、その中でも開き角１３は約３０〜８９度、傾斜角１４は約１〜６０度の範囲が望ましいことが分かった。この実施例１では開き角１３を約６５度、傾斜角１４を約１５度にした。
【実施例２】
【００２７】
実施例２の本発明のルアーは、実施例１とは異なり、図７に示すように、ヘッド１の前方にラインアイ６と後方にシャフト４を固定し、ボディ２に貫通穴であるホール５を開けてシャフト４を通して、末端に抜け落ち防止のためにフックアイ７を成形したが、フックアイ７の他に単にシャフト４の末端を捻ったり、その他の部品を取り付けたりしてもかまわないことが、テストの結果分かった。
【実施例３】
【００２８】
実施例３の本発明のルアーは上記二つの実施例とは異なり、図８に示すように、ヘッド１とボディ２の両方にシャフト４を通して、抜け落ち防止のために先端側にラインアイ６、末端側にフックアイ７を成形したが、末端側は単にシャフト４を捻っておいたり、その他の部品を取り付けたりしてもよかった。
【００２９】
実施例３はテストの結果、シャフト４が回転してしまう事態があったのだが、シャフト４末端を折り曲げてフックアイ７を取り付けると糸よれが少なくなった。
【００３０】
以上、本発明のルアーの実施例を具体的に説明したが、ヘッド１とボディ２の前後関係は逆にしてもよかったし、ビーズやワッシャーあるいはブレード等の他の部品を任意の箇所に追加しても、同様の効果が得られた。
【００３１】
ヘッド１とボディ２の素材は発泡樹脂以外のプラスチック樹脂や木材、アルミ等、他の素材を使用してもよかったし、形状も魚や昆虫を模したものや任意の幾何学形状にしてもよかった。
【００３２】
ウィング３ａ、３ｂは表面にアールや折り目をつけたり、蝶番機構を設けて取り付けたりしてもよかった。その他にも、図６に示すようにウィング３ａ、３ｂを繋げて一枚の板状にしたものを、ヘッド１に設けた溝１２やヘッド１の前面・後面にネジ等で取り付けたり、あるいはヘッド１を分割して挟み込んで固定したりしても、同様の効果が得られた。また、開き角１３及び傾斜角１４は左右で同じ角度にする必要はなく、約１〜５度変えても問題ないことがわかった。
【００３３】
次に、本発明のルアーの使用時の挙動を、図９を参照しながら詳細に説明する。
【００３４】
釣竿やリール等で釣り糸９を巻き取ると、ヘッド１は水の抵抗を受けて右もしくは左のどちらかに回転し始める。この最初の回転方向は水面の波の状態や、釣り糸９を引く角度などに影響されて変わる。
【００３５】
まず、ヘッド１が最初にルアー正面から見て右回転をしたと仮定すると、ヘッド１が半回転した時には、ウィング３ａが水面から出て、ウィング３ｂが水中に入る。通常のプロペラの場合には、翼の左右はお互いに逆の方向へと捻られているため、発生した力を受け流して一方向へ回転を続ける。
【００３６】
しかし本発明のルアーは、前述の通りウィング３ａ、３ｂがどちらも同じ方向に前傾し、なおかつ開き角１３と傾斜角１４をもって取り付けられているため、水中にあるウィング３ｂは、水の抵抗で右回転にブレーキがかかってくる。よってヘッド１は右回転する力が徐々に低下し、今度はウィング３ｂが受ける水の抵抗と、錘１０の効果によって、左方向へ回転する力が発生する。これによりヘッド１は逆回転を始める。
【００３７】
ヘッド１がそのまま左へ半回転すると、今度はウィング３ａが水中に入り、同様の作用がはたらいて再び逆回転を始める。このくり返しによって、ヘッド１は半回転往復運動を続ける。
【００３８】
これら一連の動作は、ヘッド１が最初に左回転をした場合も同様である。このヘッド１による半回転往復運動は、従来のルアーには存在しないまったく新しい動きであり、ヘッド１は半回転往復運動して水面をかき乱しながら巨大な振動と水流・音を発生し、ボディ２はシャフト４からその振動を伝達されて揺すられる。これによって水面に落ちた蛾・蝶が羽をばたつかせてもがいているさまに酷似させることが出来た。更に半回転往復運動によるルアーの振動を大きくしたり小さくしたりするには、ホール５の直径を調節すればよかった。
【００３９】
また、ヘッド１が一方向に回転し続けず半回転毎に逆回転する効果によって、糸よれが発生することが少なかった。さらに充分な浮力をもっているので水面の任意の場所に留まる事ができ、魚にルアーを喰わせる間を作ることが容易になった。
【００４０】
本発明のルアーが発生する振動は従来のプロペラよりも大きく、釣り人が釣り糸９を介してルアーの振動を手元で明確に感じることができる。ヘッド１の半回転往復運動も視認できるので、釣り人は視覚情報と触覚情報の両方でルアーの動きを常に把握することができる。これは釣り人に与える心理効果として非常に有効であり、特に初心者に対して操作している実感と「釣れる」という安心感を与えるルアーになった。
【図面の簡単な説明】
【００４１】
【図１】本発明のルアーの実施例１の斜視図。
【図２】本発明のルアーの実施例１の説明図。
【図３】本発明のルアーの開き角の説明図。
【図４】本発明のルアーのウィングの形状説明図。
【図５】本発明のルアーのウィングの取り付け説明図。
【図６】本発明のルアーのウィングの他の例の取り付け説明図。
【図７】本発明のルアーの実施例２の説明図。
【図８】本発明のルアーの実施例３の説明図。
【図９】本発明のルアーの泳動を説明する図。
【符号の説明】
【００４２】
１  ヘッド
２  ボディ
３ａ  ウィング
３ｂ  ウィング
４  シャフト
５  ホール
６  ラインアイ
７  フックアイ
８  釣り針
９  釣り糸
１０  ヘッド１に内蔵した錘
１１  ボディ２に内蔵した錘
１２  ヘッド１に設けた溝
１３  開き角
１４  傾斜角
【図１】
2007312640.tif 000003
【図２】
2007312640.tif 000004
【図３】
2007312640.tif 000005
【図４】
2007312640.tif 000006
【図５】
2007312640.tif 000007
【図６】
2007312640.tif 000008
【図７】
2007312640.tif 000009
【図８】
2007312640.tif 000010
【図９】
2007312640.tif 000011